(57)【要約】【課題】被写体の動き量に適した撮影条件を、少ない追加被ばく量で最適化できるようにする。【解決手段】撮影用コンソール２の制御部２１によれば、撮影装置１により取得された少なくとも２以上のフレーム画像から被写体の動き量を表す動き量レベルを算出し、算出した動き量レベルに基づいて目標ノイズレベルを算出し、算出した目標ノイズレベルに基づいて、撮影装置１において被写体を撮影する際の撮影条件を決定する。【選択図】図２
2020054550.tif 000002
【特許請求の範囲】
【請求項１】
被写体を放射線撮影して、周期的に動作する前記被写体の動態を示す複数のフレーム画像を取得する撮影装置に接続された撮影制御装置であって、
前記撮影装置により取得された少なくとも２以上のフレーム画像から前記被写体の動き量を表す動き量レベルを算出し、算出した前記動き量レベルに基づいて目標ノイズレベルを算出し、算出した前記目標ノイズレベルに基づいて、前記撮影装置において前記被写体を撮影する際の撮影条件を決定する制御手段を備える撮影制御装置。
【請求項２】
前記制御手段は、前記動き量レベルに基づいて、前記被写体の動きで生じる画素値の時間変化を表す信号が所望のＳ／Ｎ比となるノイズレベルを前記目標ノイズレベルとして算出する請求項１に記載の撮影制御装置。
【請求項３】
前記制御手段は、前記撮影装置のノイズ特性に基づいて、前記被写体の動きで生じる画素値の時間変化を表す信号に重畳されるノイズレベルが前記目標ノイズレベルとなる画素値を目標画素値レベルとして算出し、算出した前記目標画素値レベルに基づいて前記撮影条件を算出する請求項１又は２に記載の撮影制御装置。
【請求項４】
前記撮影条件は、前記撮影装置における放射線照射条件及び画像読取条件である請求項１〜３のいずれか一項に記載の撮影制御装置。
【請求項５】
被写体の体厚の情報を取得する体厚情報取得手段を備え、
前記制御手段は、さらに、前記被写体の体厚に応じた半価層又は実効エネルギーに基づいて前記放射線照射条件を決定する請求項４に記載の撮影制御装置。
【請求項６】
被写体を放射線撮影して、周期的に動作する前記被写体の動態を示す複数のフレーム画像を取得する撮影装置に接続された撮影制御装置に用いられるコンピューターを、
前記撮影装置により取得された前記被写体の動態を示す少なくとも２以上のフレーム画像から前記被写体の動き量を表す動き量レベルを算出し、算出した前記動き量レベルに基づいて目標ノイズレベルを算出し、算出した前記目標ノイズレベルに基づいて、前記撮影装置において前記被写体を撮影する際の撮影条件を決定する制御手段、
として機能させるためのプログラム。
【発明の詳細な説明】
【技術分野】
【０００１】
本発明は、撮影制御装置及びプログラムに関する。
【背景技術】
【０００２】
従来のフィルム／スクリーンや輝尽性蛍光体プレートを用いた被写体の放射線による静止画撮影及び診断に対し、ＦＰＤ（flat panel detector）等の半導体イメージセンサーを利用して被写体の動態画像を撮影し、診断に応用する試みがなされるようになってきている。具体的には、半導体イメージセンサーの画像データの読取・消去の応答性の速さを利用し、半導体イメージセンサーの読取・消去のタイミングと合わせて放射線源からパルス状の放射線を連続照射し、１秒間に複数回の撮影を行って、被写体の動態を撮影する。動態画像のフレーム画像を順次表示することにより、医師は、被写体の動態、例えば、呼吸運動や心臓の拍動等に伴う胸部の一連の動きを観察することが可能となる。
また、近年、動態画像の画素値の時間変化に基づいて、被写体の動態を解析する各種技術も提案されている。
【０００３】
ところで、解析や医師による診断に適した画質の動態画像を取得するためには、放射線照射量等の撮影条件を最適化する必要がある。
【０００４】
そこで、動態撮影時の撮影条件を自動的に調整するための技術が提案されている。例えば、特許文献１には、動態撮影の本撮影のタイミングを決定するために、本撮影より低い線量で補助撮影画像を撮影する際の放射線照射量を自動的に決定する技術が記載されている。具体的には、基準Ｘ線と、それより低い調整Ｘ線を交互に照射し、画像から動き量を検出し、基準Ｘ線と動き量の算出結果が変わらなくなる調整Ｘ線を放射線照射量として決定することが記載されている。あるいは、動き量が不安定になるまでは段階的に調整低Ｘ線量を減少させていき、動き量が不安定になってからは、段階的に調整低Ｘ線量を増加させていき、その後、動き量が一定範囲内で安定した時の放射線量を補助撮影用の放射線照射量として決定することが記載されている。
【先行技術文献】
【特許文献】
【０００５】
【特許文献１】特開２００９−３９３６０号公報
【発明の概要】
【発明が解決しようとする課題】
【０００６】
しかしながら、特許文献１に記載の技術は、被写体の動き量の算出結果が基準Ｘ線量での算出結果と略同等、もしくは、変化しなくなるまでＸ線量を試行錯誤的に増加させて最適量を探索しており、比較するための基準Ｘ線での撮影、及び、最適点までの調整Ｘ線量での撮影に時間がかかることから、Ｘ線量を最適化するための追加撮影分の被写体の被ばく量が多いという問題があった。
【０００７】
本発明の課題は、被写体の動き量に適した撮影条件を、少ない追加被ばく量で最適化できるようにすることである。
【課題を解決するための手段】
【０００８】
上記課題を解決するため、請求項１に記載の発明は、
被写体を放射線撮影して、周期的に動作する前記被写体の動態を示す複数のフレーム画像を取得する撮影装置に接続された撮影制御装置であって、
前記撮影装置により取得された少なくとも２以上のフレーム画像から前記被写体の動き量を表す動き量レベルを算出し、算出した前記動き量レベルに基づいて目標ノイズレベルを算出し、算出した前記目標ノイズレベルに基づいて、前記撮影装置において前記被写体を撮影する際の撮影条件を決定する制御手段を備える。
【０００９】
請求項２に記載の発明は、請求項１に記載の発明において、
前記制御手段は、前記動き量レベルに基づいて、前記被写体の動きで生じる画素値の時間変化を表す信号が所望のＳ／Ｎ比となるノイズレベルを前記目標ノイズレベルとして算出する。
【００１０】
請求項３に記載の発明は、請求項１又は２に記載の発明において、
前記制御手段は、前記撮影装置のノイズ特性に基づいて、前記被写体の動きで生じる画素値の時間変化を表す信号に重畳されるノイズレベルが前記目標ノイズレベルとなる画素値を目標画素値レベルとして算出し、算出した前記目標画素値レベルに基づいて前記撮影条件を算出する。
【００１１】
請求項４に記載の発明は、請求項１〜３のいずれか一項に記載の発明において、
前記撮影条件は、前記撮影装置における放射線照射条件及び画像読取条件である。
【００１２】
請求項５に記載の発明は、請求項４に記載の発明において、
被写体の体厚の情報を取得する体厚情報取得手段を備え、
前記制御手段は、さらに、前記被写体の体厚に応じた半価層又は実効エネルギーに基づいて前記放射線照射条件を決定する。
【００１３】
請求項６に記載の発明のプログラムは、
被写体を放射線撮影して、周期的に動作する前記被写体の動態を示す複数のフレーム画像を取得する撮影装置に接続された撮影制御装置に用いられるコンピューターを、
前記撮影装置により取得された前記被写体の動態を示す少なくとも２以上のフレーム画像から前記被写体の動き量を表す動き量レベルを算出し、算出した前記動き量レベルに基づいて目標ノイズレベルを算出し、算出した前記目標ノイズレベルに基づいて、前記撮影装置において前記被写体を撮影する際の撮影条件を決定する制御手段、
として機能させる。
【発明の効果】
【００１４】
本発明によれば、被写体の動き量に適した撮影条件を、少ない追加被ばく量で最適化することが可能となる。
【図面の簡単な説明】
【００１５】
【図１】本発明の実施形態における放射線撮影システムの全体構成を示す図である。
【図２】第１の実施形態において図１の撮影用コンソールの制御部により実行される撮影制御処理Ａを示すフローチャートである。
【図３】第２の実施形態において図１の撮影用コンソールの制御部により実行される撮影制御処理Ｂを示すフローチャートである。
【発明を実施するための形態】
【００１６】
以下、図面を参照して本発明の実施形態について説明する。ただし、発明の範囲は、図示例に限定されない。
【００１７】
＜第１の実施形態＞
〔放射線撮影システム１００の構成〕
まず、本発明の第１の実施形態の構成を説明する。
図１に、本実施形態における放射線撮影システム１００の全体構成を示す。
図１に示すように、放射線撮影システム１００は、撮影装置１と、撮影用コンソール２とが通信ケーブル等により接続され、撮影用コンソール２と、診断用コンソール３とがＬＡＮ（Local Area Network）等の通信ネットワークＮＴを介して接続されて構成されている。放射線撮影システム１００を構成する各装置は、ＤＩＣＯＭ（Digital Image and Communications in Medicine）規格に準じており、各装置間の通信は、ＤＩＣＯＭに則って行われる。
【００１８】
〔撮影装置１の構成〕
撮影装置１は、例えば、呼吸運動に伴う肺の膨張及び収縮の形態変化、心臓の拍動等の、周期性（サイクル）を持つ被写体（被検者Ｈの撮影部位）の動態を撮影する撮影手段である。動態撮影とは、被写体に対し、Ｘ線等の放射線をパルス状にして所定時間間隔で繰り返し照射するか（パルス照射）、もしくは、低放射線量率にして途切れなく継続して照射する(連続照射)ことで、被写体の動態を示す複数の画像を取得することをいう。動態撮影により得られた一連の画像を動態画像と呼ぶ。また、動態画像を構成する複数の画像のそれぞれをフレーム画像と呼ぶ。なお、以下の実施形態では、パルス照射により胸部正面の動態撮影を行う場合を例にとり説明する。
【００１９】
放射線源１１は、被写体を挟んで放射線検出部１３と対向する位置に配置され、放射線照射制御装置１２の制御に従って、被写体に対し放射線（Ｘ線）を照射する。
放射線照射制御装置１２は、撮影用コンソール２に接続されており、撮影用コンソール２から入力された放射線照射条件に基づいて放射線源１１を制御して放射線撮影を行う。撮影用コンソール２から入力される放射線照射条件は、例えば、パルスレート、パルス幅、パルス間隔、１撮影あたりの撮影フレーム数、Ｘ線管電流の値、Ｘ線管電圧の値、付加フィルターの材質及び厚み、１パルスあたりのmAs値（パルス幅とＸ線管電流の値の積）等である。パルスレートは、１秒あたりの放射線照射回数であり、後述するフレームレートと一致している。パルス幅は、放射線照射１回当たりの放射線照射時間である。パルス間隔は、１回の放射線照射開始から次の放射線照射開始までの時間であり、後述するフレーム間隔と一致している。
【００２０】
放射線検出部１３は、ＦＰＤ（Flat Panel Detector）等の半導体イメージセンサーに
より構成される。ＦＰＤは、例えば、ガラス基板等を有しており、基板上の所定位置に、放射線源１１から照射されて少なくとも被写体を透過した放射線をその強度に応じて検出し、検出した放射線を電気信号に変換して蓄積する複数の検出素子（画素）がマトリックス状に配列されている。各画素は、例えばＴＦＴ（Thin Film Transistor）等のスイッチング部を備えて構成されている。ＦＰＤにはＸ線をシンチレーターを介して光電変換素子により電気信号に変換する間接変換型、Ｘ線を直接的に電気信号に変換する直接変換型があるが、何れを用いてもよい。
また、放射線検出部１３は、放射線検出部１３の温度を検出する温度計を備え、検出した温度を撮影用コンソール２に送信する。
【００２１】
読取制御装置１４は、撮影用コンソール２に接続されている。読取制御装置１４は、撮影用コンソール２から入力された画像読取条件に基づいて放射線検出部１３の各画素のスイッチング部を制御して、当該各画素に蓄積された電気信号の読み取りをスイッチングしていき、放射線検出部１３に蓄積された電気信号を読み取ることにより、画像データを取得する。この画像データがフレーム画像である。画像データ（フレーム画像）の画素値は濃度値であり、放射線検出部１３に到達した放射線量が大きいほど大きい値となる。読取制御装置１４は、取得したフレーム画像を撮影用コンソール２に出力する。画像読取条件は、例えば、フレームレート、フレーム間隔、読出ブロックサイズ（ビニング数）、画像サイズ（マトリックスサイズ）等である。フレームレートは、１秒あたりに取得するフレーム画像数であり、パルスレートと一致している。フレーム間隔は、１回のフレーム画像の取得動作開始から次のフレーム画像の取得動作開始までの時間であり、パルス間隔と一致している。
【００２２】
ここで、放射線照射制御装置１２と読取制御装置１４は互いに接続され、互いに同期信号をやりとりして放射線照射動作と画像の読み取りの動作を同調させるようになっている。
【００２３】
〔撮影用コンソール２の構成〕
撮影用コンソール２は、撮影装置１に接続され、撮影装置１による撮影を制御する撮影制御装置である。すなわち、撮影用コンソール２は、撮影条件（放射線照射条件や画像読取条件）を撮影装置１に出力して撮影装置１による放射線撮影及び放射線画像の読み取り動作を制御する。また、撮影用コンソール２は、撮影装置１により取得された動態画像を診断に適した画像であるか否かの確認用に表示したり、診断用コンソール３に送信したりする。
【００２４】
撮影用コンソール２は、図１に示すように、制御部２１、記憶部２２、操作部２３、表示部２４、通信部２５を備えて構成され、各部はバス２６により接続されている。
【００２５】
制御部２１は、ＣＰＵ（Central Processing Unit）、ＲＡＭ（Random Access Memory
）等により構成される。制御部２１のＣＰＵは、操作部２３の操作に応じて、記憶部２２に記憶されているシステムプログラムや各種処理プログラムを読み出してＲＡＭ内に展開し、展開されたプログラムに従って後述する撮影制御処理Ａを始めとする各種処理を実行し、撮影用コンソール２各部の動作や、撮影装置１の放射線照射動作及び読み取り動作を集中制御する。
【００２６】
記憶部２２は、不揮発性の半導体メモリーやハードディスク等により構成される。記憶部２２は、制御部２１で実行される各種プログラムやプログラムによる処理の実行に必要なパラメーター、或いは処理結果等のデータを記憶する。例えば、記憶部２２は、図２に示す撮影制御処理Ａを実行するためのプログラムや低放射線量撮影用の撮影条件、撮影装置ノイズ特性（詳細後述）等を記憶している。各種プログラムは、読取可能なプログラムコードの形態で格納され、制御部２１は、当該プログラムコードに従った動作を逐次実行する。
【００２７】
操作部２３は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。また、操作部２３は、表示部２４の表示画面にタッチパネルを備えても良く、この場合、タッチパネルを介して入力された指示信号を制御部２１に出力する。
【００２８】
表示部２４は、ＬＣＤ（Liquid Crystal Display）やＣＲＴ（Cathode Ray Tube）等のモニターにより構成され、制御部２１から入力される表示信号の指示に従って、操作部２３からの入力指示やデータ等を表示する。
【００２９】
通信部２５は、ＬＡＮアダプターやモデムやＴＡ（Terminal Adapter）等を備え、通信ネットワークＮＴに接続された各装置との間のデータ送受信を制御する。
【００３０】
サイクル検出部２７は、被検者Ｈの呼吸状態や心拍状態を接触又は非接触で検出して制御部２１に出力する。サイクル検出部２７としては、例えば、呼吸センサー、スパイロメーター、呼吸モニターベルト等の呼吸計測器等の、呼吸運動を計測する機器、心電計等の、心拍運動を計測する心拍計測器等を用いることができる。
【００３１】
〔診断用コンソール３の構成〕
診断用コンソール３は、撮影用コンソール２から送信された動態画像に解析処理を施し、取得した動態画像や動態画像の解析結果を表示して医師の診断を支援するための解析装置である。
診断用コンソール３は、図１に示すように、制御部３１、記憶部３２、操作部３３、表示部３４、通信部３５を備えて構成され、各部はバス３６により接続されている。
【００３２】
制御部３１は、ＣＰＵ、ＲＡＭ等により構成される。制御部３１のＣＰＵは、操作部３３の操作に応じて、記憶部３２に記憶されているシステムプログラムや、各種処理プログラムを読み出してＲＡＭ内に展開し、展開されたプログラムに従って各種処理を実行し、診断用コンソール３の各部の動作を集中制御する。
【００３３】
記憶部３２は、不揮発性の半導体メモリーやハードディスク等により構成される。記憶部３２は、制御部３１で実行される処理プログラムを始めとする各種プログラムやプログラムによる処理の実行に必要なパラメーター、或いは処理結果等のデータを記憶する。これらの各種プログラムは、読取可能なプログラムコードの形態で格納され、制御部３１は、当該プログラムコードに従った動作を逐次実行する。
【００３４】
また、記憶部３２には、撮影された動態画像が患者情報（例えば、患者ＩＤ、患者の氏名、身長、体重、年齢、性別等）、検査情報（例えば、検査ＩＤ、検査日、撮影部位（ここでは、胸部）、撮影方向（正面、側面）、診断対象の種類（例えば、呼吸、心拍等）等）に対応付けて記憶されている。
【００３５】
操作部３３は、カーソルキー、数字入力キー、及び各種機能キー等を備えたキーボードと、マウス等のポインティングデバイスを備えて構成され、ユーザーによるキーボードに対するキー操作やマウス操作により入力された指示信号を制御部３１に出力する。また、操作部３３は、表示部３４の表示画面にタッチパネルを備えても良く、この場合、タッチパネルを介して入力された指示信号を制御部３１に出力する。
【００３６】
表示部３４は、ＬＣＤやＣＲＴ等のモニターにより構成され、制御部３１から入力される表示信号の指示に従って、各種表示を行う。
【００３７】
通信部３５は、ＬＡＮアダプターやモデムやＴＡ等を備え、通信ネットワークＮＴに接続された各装置との間のデータ送受信を制御する。
【００３８】
〔放射線撮影システム１００の動作〕
次に、本実施形態における放射線撮影システム１００の動作について説明する。
図２に、撮影用コンソール２の制御部２１において実行される撮影制御処理Ａのフローチャートを示す。撮影制御処理Ａは、制御部２１と記憶部２２に記憶されているプログラムとの協働により実行される。
【００３９】
まず、制御部２１は、操作部２３による被検者Ｈの患者情報、検査情報の入力を受け付ける（ステップＳ１）。なお、撮影実施者は、この入力後、被写体のポジショニング、サイクル検出部２７の被検者Ｈへの装着、呼吸状態（例えば、安静呼吸、深呼吸、息止め等）の指示等を行う。
【００４０】
次いで、制御部２１は、低放射線量撮影用の撮影条件を撮影装置１に設定する（ステップＳ２）。
すなわち、制御部２１は、低放射線量撮影用の放射線照射条件を記憶部２２から読み出して放射線照射制御装置１２に送信して設定するとともに、低放射線量撮影用の画像読取条件を記憶部２２から読み出して読取制御装置１４に送信して設定する。なお、ここで設定される放射線照射条件は、診断や解析のための被写体の動態画像を取得するための撮影（本撮影という）における撮影条件を決定するための低放射線量撮影用の条件であり、本撮影より低放射線量となる放射線照射条件が設定される。
【００４１】
次いで、制御部２１は、操作部２３により撮影指示が入力されたか否かが判断される（ステップＳ３）。
撮影指示が入力されると（ステップＳ３；ＹＥＳ）、制御部２１は、放射線照射制御装置１２及び読取制御装置１４に撮影指示信号を出力し、低放射線量撮影を行う（ステップＳ４）。
ステップＳ４において、制御部２１は、例えば、診断対象の種類が呼吸である場合、放射線照射制御装置１２及び読取制御装置１４を制御して、サイクル検出部２７の呼吸計測器により最大吸気位（安静吸気位）が検出されたタイミング及び最大呼気位（安静呼気位）が検出されたタイミングで低放射線量撮影を行わせ、２枚のフレーム画像を取得させる。あるいは、呼吸一周期分のフレーム画像を取得させることとしてもよい。また、診断対象の種類が心拍である場合、放射線照射制御装置１２及び読取制御装置１４を制御して、サイクル検出部２７の心拍計測器により心拡張期が検出されたタイミング及び心収縮期が検出されたタイミングで低放射線量撮影を行わせ、２枚のフレーム画像を取得させる。あるいは、心拍一周期分のフレーム画像を取得させることとしてもよい。
低放射線量撮影により取得されたフレーム画像は読取制御装置１４から順次撮影用コンソール２に入力され、フレーム画像が取得されたタイミング（例えば、最大吸気位（安静吸気位）、最大呼気位（安静呼気位）等）や撮影順を示す番号（フレーム番号）と対応付けて記憶部２２に記憶される。
【００４２】
低放射線量撮影による一連のフレーム画像が入力されると、制御部２１は、入力されたフレーム画像から被写体の動き量を表す動き量レベルLMを算出する（ステップＳ５）。
【００４３】
診断対象の種類が呼吸の場合、動き量レベルLMは、例えば、以下（１）〜（３）のいずれかを用いることができる。
（１）最大吸気位（安静吸気位）のフレーム画像の肺野内平均画素値／最大呼気位（安静呼気位）のフレーム画像の肺野内平均画素値
（２）最大吸気位（安静吸気位）のフレーム画像の横隔膜位置／最大呼気位（安静呼気位）のフレーム画像の横隔膜位置
（３）最大吸気位（安静吸気位）のフレーム画像の胸郭幅／最大呼気位（安静呼気位）のフレーム画像の胸郭幅
【００４４】
呼吸一周期分のフレーム画像を撮影した場合、制御部２１は、各フレーム画像から肺野内平均画素値（又は、横隔膜位置、胸郭幅）を算出し、最大の肺野内平均画素値（又は、横隔膜位置、胸郭幅）を最大吸気位（安静吸気位）のフレーム画像の肺野内平均画素値（又は、横隔膜位置、胸郭幅）、最小の肺野内平均画素値（又は、横隔膜位置、胸郭幅）を最大呼気位（安静呼気位）のフレーム画像の肺野内平均画素値（又は、横隔膜位置、胸郭幅）として、動き量レベルLMを算出する。
【００４５】
ここで、肺野領域は、放射線（Ｘ線）の透過量が多いため、その周辺の領域に比べて画素値（濃度値）が高くなる。そこで、例えば、まず、フレーム画像の各画素の画素値から濃度ヒストグラムを作成し、判別分析法等によって閾値を求める。次いで、求められた閾値より高信号の領域を肺野領域の候補として抽出する。次いで、候補領域の境界付近でエッジ検出を行い、境界付近の小領域でエッジが最大となる点を境界に沿って抽出すれば、肺野領域を抽出することができる。
横隔膜の位置情報は、例えば、フレーム画像の肺野領域下部の輪郭を横隔膜として認識し、認識した横隔膜の所定のｘ座標の位置におけるｙ座標を横隔膜の位置情報として取得することができる。
胸郭の幅は、フレーム画像の肺野領域（右肺、左肺を含む）の所定のｙ座標の位置における幅（ｘ方向の長さ）を胸郭の幅として取得することができる。
なお、座標の原点は、ここでは画像左上であることとし、右方向に行くほどｘ座標の値が大きくなり、下方向に行くほどｙ座標の値は大きくなることとする。
【００４６】
診断対象の種類が心拍の場合、動き量レベルLMは、例えば、以下（４）〜（６）のいずれかを用いることができる。
（４）心収縮期のフレーム画像の心陰影領域平均画素値／心拡張期のフレーム画像の心陰影領域（心臓領域）平均画素値
（５）心拡張期のフレーム画像の心壁位置／心収縮期のフレーム画像の心壁位置
（６）息止め状態で撮影した心拡張期のフレーム画像の肺野内平均画素値／息止め状態で撮影した心収縮期のフレーム画像の肺野内平均画素値
【００４７】
心拍一周期分のフレーム画像を撮影した場合、各フレーム画像から心陰影領域平均画素値を算出し、最小の心陰影領域平均画素値を心拡張期のフレーム画像の心陰影領域平均画素値、最大の心陰影領域平均画素値を心収縮期のフレーム画像の心陰影領域平均画素値として、動き量レベルLMを算出する。または、各フレーム画像から心壁位置を算出し、最も外側に拡がっている（値の大きい）心壁位置を心拡張期のフレーム画像の心壁位置、最も内側に狭まっている（値の小さい）心壁位置をフレーム画像を心収縮期のフレーム画像の心壁位置として、動き量レベルLMを算出する。または、息止め状態で撮影した各フレーム画像から肺野内平均画素値を算出し、最大の肺野内平均画素値を心拡張期のフレーム画像の肺野内平均画素値、最小の肺野内平均画素値を心収縮期のフレーム画像の肺野内画素値として、動き量レベルLMを算出する。
【００４８】
ここで、心陰影領域は、例えば、特許第２７９６３８１号公報に記載の心臓輪郭決定方法等の公知の手法を用いて抽出することができる。
心壁位置は、例えば、フレーム画像から心陰影領域を抽出し、抽出した心陰影領域の輪郭の所定のｙ座標の位置における外側のｘ座標を心壁の位置情報として取得することができる。
【００４９】
次いで、制御部２１は、算出した動き量レベルLMに基づいて、目標ノイズレベルLNを算出する（ステップＳ６）。
目標ノイズレベルLNは、被写体の動きで生じる画素値時間変化の信号が所望の質（所望S/Nレベル（S/N比）LS/N）となるときのノイズレベルである。所望S/NレベルLS/Nは、撮影部位、画素値時間変化の解析手法等によって異なるものである。
目標ノイズレベルLNは、例えば、以下の（式１）により求めることができる。
LN＝α×β×γ×LM／LS/N・・・（式１）
ここで、α：動き量調整係数(0＜α≦1)、β：線質違いコントラスト調整係数(β≠0)、γ：動き量画素値変化量変換係数である。
αは、マージンをもたせるための係数であり、予め設定されている。線質違いコントラスト調整係数βは、線質に係る放射線照射条件を調整する場合に付与される係数である。本実施形態では、特に線質に係る放射線照射条件（管電圧や付加フィルター）を調整しないため１である。動き量画素値変化量変換係数γは、算出された動き量レベルLMが、画素値変化量（画素値時間変化量）ではなく、横隔膜位置の変化量、心壁位置の変化量、胸郭幅の変化量（時間変化量）である場合において、位置や幅の変化量から、画素値の変化量の推定値を求めるための変換係数であり、予め記憶部２２に記憶されている。動き量レベルLMが画素値変化量（肺野内平均画素値や心陰影領域平均画素値の変化量（時間変化量））なら１である。
【００５０】
次いで、制御部２１は、目標ノイズレベルLNに対応する目標画素値レベルLG0を算出する（ステップＳ７）。
ここで、記憶部２２には、撮影装置ノイズ特性が予め記憶されている。撮影装置ノイズ特性は、被写体なしで所定の放射線照射量で放射線検出部１３に放射線を照射して得られた複数のフレーム画像に基づいて求められた、放射線検出部１３の画素値とノイズとの対応関係を示したものであり、放射線検出部１３の画像読取条件毎の特性が記憶されている。
具体的に、撮影装置ノイズ特性は、画素値、読出ブロックサイズ、フレームレート、検出器温度（放射線検出部１３の温度）を入力パラメーターとし、放射線検出部１３が入力パラメーターの温度、読出ブロックサイズ、フレームレートで画像の読み出しを行ったときに、入力パラメーターの画素値が得られた場合における、複数フレーム画像での同一画素（画素ブロック）の画素値時間変化のばらつき度合（標準偏差）を出力パラメーターとした対応関係（関係式、対応テーブル）をもとに生成されたものである。この対応関係を変換し、画素値時間変化のばらつき度合（標準偏差）をノイズレベルとみなし、ノイズレベル、読出ブロックサイズ、フレームレート、検出器温度を入力パラメーターとし、画素値を出力パラメーターとした対応関係（関係式、対応テーブル）が撮影装置ノイズ特性である。撮影装置ノイズ特性は、実験により得られたものであり、例えば工場出荷時等に、記憶部２２に予め記憶させたものである。
ステップＳ７において、制御部２１は、記憶部２２に記憶されている撮影装置ノイズ特性を参照し、低放射線量撮影時の画像読取条件での目標ノイズレベルLNに対応する画素値（すなわち、低放射線量撮影時の画像読取条件での撮影において、被写体の動きで生じる画素値時間変化を表す信号に重畳されるノイズレベルが目標ノイズレベルLNとなる画素値）を目標画素値レベルLG0として算出する。
【００５１】
次いで、制御部２１は、算出した目標画素値レベルLG0に基づいて線量倍率Mを算出する（ステップＳ８）。
ステップＳ８において、制御部２１は、まず、低放射線量撮影で得られた動態画像の関心領域における画素値レベル（現画素値レベルLG1と呼ぶ）を算出する。
【００５２】
ここで、関心領域は、診断において注目する領域であり、ユーザーが操作部２３の操作により設定してもよいが、ユーザーの手間を省力化するために、予め設定された所定の位置に画像処理で認識して設定することが好ましい。例えば、本撮影により取得した動態画像を用いて肺野内の呼吸周期もしくは心拍周期の濃度の解析（肺野内の換気解析もしくは血流解析）を行う場合、肺尖の頂点から横隔膜の水平方向の中点における位置（高さ）までの長さの中点をY座標とし、このY座標における肺野横幅の中点をX座標とし、このX座標、Y座標を中心とした所定サイズの矩形もしくは楕円領域を、関心領域として設定する。また、例えば、本撮影により取得した動態画像を用いて心臓の心拍周期等の解析を行う場合、例えば、左肺野内の心陰影として、左第４弓、横隔膜、胸椎を境界とした略三角形の領域において、左辺と底辺がそれぞれ胸椎、横隔膜の境界に対して所定距離だけ左、上に離れた矩形領域を関心領域として設定する。
【００５３】
例えば、ステップＳ４において一周期分のフレーム画像を取得した場合には、取得した各フレーム画像の関心領域における平均画素値の平均値又は最小値を現画素値レベルLG1として算出する。ステップＳ４においてタイミングを指定してフレーム画像を取得した場合は、所定タイミング（例えば呼吸なら最大呼気位（安静呼気位）、心拍なら心拡張期）の関心領域における画素値平均値を現画素値レベルLG1として算出する。
そして、制御部２１は、算出した目標画素値レベルLG0、現画素値レベルLG1に基づいて、例えば以下の（式２）により、線量倍数Mを計算する
線量倍数M＝目標画素値レベルLG0／現画素値レベルLG1・・・（式２）
【００５４】
次いで、制御部２１は、算出した線量倍数Ｍと、低放射線量撮影時の放射線照射条件に基づいて、本撮影時の放射線照射条件を算出する（ステップＳ９）。
例えば、低放射線量撮影時の１フレームあたりのmAs値（すなわち１パルスあたりのmAs値）の設定に、線量倍数Ｍを乗じて放射線照射条件（１フレームあたりのmAs値）を算出する。
【００５５】
次いで、制御部２１は、算出した放射線照射条件が撮影装置１の設定可能範囲の上限又は下限を超えているか、又は算出した放射線照射条件から推定した被検者の被ばく量が予め設定された上限を超えているかを判断する（ステップＳ１０）。
【００５６】
算出した放射線照射条件が撮影装置１の設定可能範囲の上限又は下限を超えている、又は算出した放射線照射条件から推定した被検者の被ばく量が予め設定された上限を超えていると判断した場合（ステップＳ１０；ＹＥＳ）、制御部２１は、画像読取条件を変更し（ステップＳ１１）、ステップＳ７に戻り、変更した画像読取条件で目標画素値レベルLG0を算出しなおしてステップＳ７〜ステップＳ１０の処理を実行する。
【００５７】
ステップＳ１１において、制御部２１は、例えば、目標画素値レベルLG0が下がるように、読出ブロックサイズ、フレームレート、及び／又は検出器温度を変更する。例えば、読出ブロックサイズを大きくするか、もしくは、検出器温度を下げることによって、目標ノイズレベルLNに対応する目標画素値レベルLG0を下げることができる。また、フレームレートを小さくすることでも、１フレーム分の読出間隔が長くなることで増加するノイズに比べ、相対的に、各ラインの読出に要する時間を長くすることで低減するノイズ量の方が大きいことから、同様に、目標ノイズレベルLNに対応する目標画素値レベルLG0を下げることができる。また、総撮影時間を変えずに、フレームレートを小さくした場合は、フレームレートを小さくした比率に応じて、放射線照射回数が減ることとなるため、放射線照射回数の観点でも被ばく量を減らすことができる。このようにすることで、放射線照射条件だけでは制御しきれない等の場合は、画像読取条件も変更して、被検者の被ばく量を抑えることができる。検出器温度を変える場合は、例えば、放射線検出部１３の温度計が所定の温度に達するまで、放射線照射制御装置１２にインターロックをかけ、撮影を停止する等の制御を行うことで実現できる。
【００５８】
算出した放射線照射条件が撮影装置１の設定可能範囲の上限又は下限を超えておらず、算出した放射線照射条件から推定した被検者の被ばく量も予め設定された上限を超えていないと判断した場合（ステップＳ１０；ＮＯ）、制御部２１は、ステップＳ９で算出した放射線照射条件及び最終的な目標画素値レベルLG0を算出したときの画像読取条件に本撮影用の撮影条件を決定する（ステップＳ１２）。
【００５９】
そして、制御部２１は、決定した撮影条件のうち放射線照射条件を放射線照射制御装置１２に送信して設定し、画像読取条件を読取制御装置１４に送信して設定し（ステップＳ１３）、設定した撮影条件で本撮影（動態撮影）を行わせ（ステップＳ１４）、撮影制御処理Ａを終了する。
【００６０】
本撮影により得られた一連のフレーム画像が入力されると、制御部２１は、本撮影で取得された一連のフレーム画像のそれぞれに動態画像を識別するための識別ＩＤや、患者情報、検査情報、放射線照射条件、画像読取条件、撮影順を示す番号（フレーム番号）等の情報を付帯させ（例えば、ＤＩＣＯＭ形式で画像データのヘッダ領域に書き込まれ）、通信部２５を介して診断用コンソール３に送信する。
【００６１】
診断用コンソール３においては、撮影用コンソール２から動態画像の一連のフレーム画像が受信されると、受信した動態画像が患者情報や検査情報と対応付けて記憶部３２に記憶される。そして、操作部３３により動態画像が選択され、表示が指示されると、制御部３１により、選択された動態画像が記憶部３２から読み出されて表示部３４に表示される。また、操作部３３により動態画像が選択され、解析が指示されると、制御部３１により、選択された動態画像が記憶部３２から読み出されて解析処理が施され、解析結果が表示部３４に表示される。胸部動態画像の解析としては、例えば、特開２０１２−１１０４５１号公報に記載の換気解析や血流解析等を挙げることができる。
【００６２】
このように、撮影制御処理Ａにおいては、得られる動態画像の動き量が最適になるまで照射する放射線照射量等の撮影条件を試行錯誤的に調整しながら撮影条件を最適化する必要がないため、被写体の動き量に適した撮影条件を、少ない追加被ばく量で最適化することができ、被検者の被ばく量を抑えることができる。
【００６３】
＜第２の実施形態＞
以下、本発明の第２の実施形態について説明する。
第１の実施形態では、放射線照射条件として、照射する放射線の量に関係するmAs値を調整する場合を例にとり説明したが、第２の実施形態では、被写体の体厚を考慮して、照射する放射線の量のみならず、照射する放射線の質に関係する管電圧や付加フィルターについても変更する場合について説明する。
【００６４】
第２の実施形態において、撮影用コンソール２は、被検者Ｈの体厚の情報を取得する体厚情報取得手段（図示せず）を備えている。体厚情報取得手段は、例えば、撮影装置１の放射線源１１付近に設けられた超音波センサー等により構成され、被写体の体厚を検出する体厚検出手段から送信された体厚情報を取得する。または、放射線照射条件、撮影部位、ＳＩＤ（放射線検出部１３と放射線源１１の管球の焦点との間の距離）、及び関心領域の画素値平均値と、体厚情報との対応関係を示すテーブル（又は関係式）を記憶部２２に記憶しておき、制御部２１が低放射線量撮影時の放射線照射条件、撮影部位、ＳＩＤ及び関心領域の画素値平均値に基づいて、体厚の推定値を算出して取得することとしてもよい。
また、撮影装置１は、放射線源１１の照射口に、図示しない放射線の照射野を絞るための絞り部を備え、この絞り部に複数種類の材質及び厚みの付加フィルターが内臓され、絞り部は、撮影用コンソール２からの入力に応じて、内臓された複数種類の付加フィルターの中からいずれか一つの付加フィルターを選択し、放射線源１１から照射された放射線が選択した付加フィルターを透過して被写体に照射されるように、放射線の照射経路中に選択した付加フィルターを挿入する機構を有する。ここで、撮影コンソール２から放射線照射条件として付加フィルター無しが入力された場合は、放射線の照射経路中にはいずれの付加フィルターも挿入されないように動作する。
【００６５】
また、第２の実施形態において、撮影用コンソール２の記憶部２２には、図３に示す撮影制御処理Ｂを実行するためのプログラムが記憶されている。
【００６６】
また、記憶部２２には、体厚情報、撮影部位、及び動き量レベルLMを入力パラメーターとし、半価層（又は実効エネルギー）、線質違いコントラスト調整係数βを出力パラメーターとする対応関係（関係式、対応テーブル）が体厚線質変換特性として予め記憶されている。体厚線質変換特性では、入力された体厚情報が小さければ、撮影に最適な放射線照射条件として、透過力が弱いがコントラストが大きくなる小さい半価層（又は実効エネルギー）が、体厚情報が大きければ透過力が強いがコントラストが小さくなる大きい半価層（又は実効エネルギー）の値が出力されるように対応付けされている。ここで、線質違いコントラスト調整係数βは、体厚線質変換特性において体厚情報に対応付けされた半価層（又は実効エネルギー）となる放射線照射条件でその体厚相当の被写体を撮影した場合に、動き量レベルLMが、その体厚相当の被写体を低放射線量撮影時の放射線照射条件で撮影した場合と比べてどの程度の倍率だけ変化するかを表す係数である。
【００６７】
また、記憶部２２には、各半価層（又は実効エネルギー）の値に対して、透過力と画像コントラストのバランスが最適となる管電圧と付加フィルターの組み合わせが１対１で対応付けされた同一線質放射線照射条件リストが記憶されている。同一線質放射線照射条件リストは、実験により得られたものであり、例えば工場出荷時等に、記憶部２２に予め記憶させたものである。
【００６８】
また、記憶部２２には、各管電圧と付加フィルターの組み合わせ毎の撮影装置ノイズ特性が予め記憶されている。撮影装置ノイズ特性は、上述のように、被写体なしで一定の放射線照射量で放射線検出部１３に放射線を照射して得られた複数のフレーム画像に基づいて求められた、放射線検出部１３の画像読取条件（読出ブロックサイズ、フレームレート、検出器温度）毎の放射線検出部１３の画素値とノイズとの対応関係を示したものである。具体的に、撮影装置ノイズ特性は、第１の実施形態で説明したように、画素値、読出ブロックサイズ、フレームレート、検出器温度を入力パラメーターとし、放射線検出部１３が入力パラメーターの温度、読出ブロックサイズ、フレームレートで画像の読み出しを行ったときに、入力パラメーターの画素値が得られた場合における、複数フレーム画像での同一画素（画素ブロック）の画素値時間変化のばらつき度合（標準偏差）を出力パラメーターとした対応関係（関係式、対応テーブル）をもとに生成されたものである。この対応関係を変換し、画素値時間変化のばらつき度合（標準偏差）をノイズレベルとみなし、ノイズレベル、読出ブロックサイズ、フレームレート、検出器温度を入力パラメーターとし、画素値を出力パラメーターとした対応関係（関係式、対応テーブル）が撮影装置ノイズ特性である。撮影装置ノイズ特性は、実験により得られたものであり、例えば工場出荷時等に、記憶部２２に予め記憶させたものである。
【００６９】
また、記憶部２２には、各管電圧と付加フィルターの組み合わせ毎に、体厚情報、撮影部位、画像読取条件（読出ブロックサイズ、フレームレート、検出器温度）を入力パラメーターとし、その体厚相当の被写体を同一のmAs値を設定して撮影した場合の関心領域に相当する領域の画素値（同一mAs値の画素値と呼ぶ）を出力パラメーターとした対応関係を示す画素値テーブルが記憶されている。画素値テーブルにおいては、管電圧が高く付加フィルターの放射線減衰量が小さいほど（減衰量が小さい材質もしくは厚みが小さいほど）、同一mAs値の画素値として大きい画素値が対応付けられている。また、管電圧が低く付加フィルターの放射線減衰量が大きいほど（減衰量が大きい材質もしくは厚みが大きいほど）、同一mAs値の画素値として小さい画素値が対応付けられている。画素値テーブルは、体厚の異なる被写体を模擬したファントム等を撮影した実験により得られたものであり、例えば工場出荷時等に、記憶部２２に予め記憶させたものである。
【００７０】
その他の第２の実施形態の構成は、第１の実施形態で説明したものと同様であるので説明を省略し、以下、第２の実施形態の動作について説明する。
【００７１】
図３に、第２の実施形態において撮影用コンソール２の制御部２１において実行される撮影制御処理Ｂのフローチャートを示す。撮影制御処理Ｂは、制御部２１と記憶部２２に記憶されているプログラムとの協働により実行される。
【００７２】
まず、制御部２１は、操作部２３による被検者Ｈの患者情報、検査情報の入力を受け付ける（ステップＳ２１）。
【００７３】
次いで、制御部２１は、低放射線量撮影用の撮影条件を設定する。すなわち、低放射線量撮影時の放射線照射条件を記憶部２２から読み出して放射線照射制御装置１２に設定するとともに、画像読取条件を記憶部２２から読み出して読取制御装置１４に設定する（ステップＳ２２）。
【００７４】
次いで、制御部２１は、操作部２３により撮影指示が入力されたか否かが判断される（ステップＳ２３）。
撮影指示が入力されると（ステップＳ２３；ＹＥＳ）、制御部２１は、放射線照射制御装置１２及び読取制御装置１４に撮影指示信号を出力し、低放射線量撮影を行う（ステップＳ２４）。
【００７５】
低放射線量撮影による一連のフレーム画像が入力されると、制御部２１は、入力されたフレーム画像から被写体の動き量を表す動き量レベルLMを算出する（ステップＳ２５）。
【００７６】
ステップＳ２１〜ステップＳ２５の処理は、図２のステップＳ１〜Ｓ５と同様であるので説明を援用する。
【００７７】
次いで、制御部２１は、被写体の体厚の情報を取得し（ステップＳ２６）、取得した体厚情報及び算出した動き量レベルLMに基づいて、記憶部２２に記憶されている体厚線質変換特性を用いて、被写体の体厚に対して最適な半価層（又は実効エネルギー）、線質違いコントラスト調整係数βを取得する（ステップＳ２７）。
【００７８】
次いで、制御部２１は、算出した動き量レベルLM、線質違いコントラスト調整係数βに基づいて、目標ノイズレベルLNを算出する（ステップＳ２８）。
目標ノイズレベルLNは、上述の（式１）により求めることができる。ステップＳ２８の処理は、図２のステップＳ６と同様であるので説明を援用する。
【００７９】
次いで、制御部２１は、記憶部２２に記憶されている同一線質放射線照射条件リストを参照して、ステップＳ２７で取得された体厚情報に応じた半価層（又は実効エネルギー）において、透過力と画像コントラストのバランスが最適となる管電圧と付加フィルターの組み合わせを本撮影時の管電圧及び付加フィルターとして決定する（ステップＳ２９）。
【００８０】
次いで、制御部２１は、目標ノイズレベルLNに対応する目標画素値レベルLG0を算出する（ステップＳ３０）。
ステップＳ３０では、ステップＳ２９で取得した管電圧と付加フィルターの組み合わせにおける撮影装置ノイズ特性を参照して、目標ノイズレベルLNに対応する目標画素値レベルLG0を算出する。
【００８１】
次いで、制御部２１は、目標画素値レベルLG0に基づいて線量倍率Mを算出する（ステップＳ３１）。
ステップＳ３１において、制御部２１は、まず、低放射線量撮影で得られた動態画像の関心領域における画素値レベル（現画素値レベルLG1と呼ぶ）を算出する。現画素値レベルLG1の算出は、図２のステップＳ８で説明したものと同様であるので説明を援用する。
次いで、制御部２１は、記憶部２２に記憶されている画素値テーブルを参照し、低放射線量撮影時の放射線照射条件（管電圧と付加フィルターの組み合わせ）で撮影したときの画素値レベル（Ｌ１とする）と、体厚情報取得手段で取得された体厚情報に対応付けされた半価層（又は実効エネルギー）から求めた放射線照射条件（管電圧と付加フィルターの組み合わせ）で撮影したときの画素値レベル（Ｌ２とする）を取得し、Ｌ２／Ｌ１により線質違い画素値調整係数δを算出する。線質違い画素値調整係数δは、体厚情報に対応付けされた半価層（又は実効エネルギー）となる放射線照射条件でその体厚相当の被写体が撮影された場合に、画素値レベルが、その体厚相当の被写体を低放射線量撮影時の放射線照射条件で撮影したときと比べてどの程度の倍率だけ変化するかを表す係数である。
そして、制御部２１は、算出した目標画素値レベルLG0、現画素値レベルLG1、線質違い画素値調整係数δに基づいて、例えば以下の（式３）により、線量倍数Mを計算する
線量倍数M＝目標画素値レベルLG0／（現画素値レベルLG1×線質違い画素値調整係数δ）・・・（式３）
上述のように、画素値テーブルにおいては、管電圧が高く付加フィルターの放射線減衰量が小さいほど（減衰量が小さい材質もしくは厚みが小さいほど）、同一mAs値の画素値は大きい値が対応付けられているため、線質違い画素値調整係数δが大きくなり、（式３）より、線量倍率Ｍは小さくなる。管電圧が低く付加フィルターの放射線減衰量が大きいほど（減衰量が大きい材質もしくは厚みが大きいほど）、同一mAs値の画素値は小さい値が対応付けられているため、線質違い画素値調整係数δが小さくなり、線量倍率Ｍは大きくなる。
【００８２】
次いで、制御部２１は、算出した線量倍数Ｍと、低放射線量撮影時の放射線照射条件に基づいて、本撮影用の１フレーム当たりのmAs値を算出する（ステップＳ３２）。
例えば、低放射線量撮影時の１フレームあたりのmAs値設定に、線量倍数Ｍを乗じて本撮影用のmAs値を算出する。
【００８３】
次いで、制御部２１は、算出した１フレーム当たりのmAs値が撮影装置１の設定可能範囲の上限又は下限を超えているか、又は算出したmAs値から推定した被検者の被ばく量が予め設定された上限を超えているかを判断する（ステップＳ３３）。
【００８４】
算出したmAs値が撮影装置１の設定可能範囲の上限又は下限を超えている、又は算出したmAs値から推定した被検者の被ばく量が予め設定された上限を超えていると判断した場合（ステップＳ３３；ＹＥＳ）、制御部２１は、画像読取条件を変更し（ステップＳ３４）、ステップＳ３０に戻り、変更した画像読取条件で目標画素値レベルLG0を算出しなおしてステップＳ３０〜ステップＳ３３の処理を実行する。ステップＳ３４の処理は図２のステップＳ１１と同様であるので説明を援用する。
【００８５】
算出したmAs値が撮影装置１の設定可能範囲の上限又は下限を超えておらず、算出したmAs値から推定した被検者の被ばく量も予め設定された上限を超えていないと判断した場合（ステップＳ３３；ＮＯ）、制御部２１は、ステップＳ２９で取得した管電圧及び付加フィルターの値、ステップＳ３２で算出したmAs値、及び目標画素値レベルLG0を算出したときの画像読取条件を本撮影用の撮影条件に決定する（ステップＳ３５）。
【００８６】
そして、制御部２１は、決定した撮影条件のうち放射線照射条件を放射線照射制御装置１２に送信して設定し、画像読取条件を読取制御装置１４に送信して設定し（ステップＳ３６）、設定した撮影条件で本撮影（動態撮影）を行わせ（ステップＳ３７）、撮影制御処理Ｂを終了する。
【００８７】
本撮影により得られた一連のフレーム画像が入力されると、制御部２１は、本撮影で取得された一連のフレーム画像のそれぞれに動態画像を識別するための識別ＩＤや、患者情報、検査情報、放射線照射条件、画像読取条件、撮影順を示す番号（フレーム番号）等の情報を付帯させ（例えば、ＤＩＣＯＭ形式で画像データのヘッダ領域に書き込まれ）、通信部２５を介して診断用コンソール３に送信する。
【００８８】
診断用コンソール３においては、撮影用コンソール２から動態画像の一連のフレーム画像が受信されると、受信した動態画像が患者情報や検査情報と対応付けて記憶部３２に記憶される。そして、操作部３３により動態画像が選択され、表示が指示されると、制御部３１により、選択された動態画像が記憶部３２から読み出されて表示部３４に表示される。また、操作部３３により動態画像が選択され、解析が指示されると、制御部３１により、選択された動態画像が記憶部３２から読み出されて解析処理が施され、解析結果が表示部３４に表示される。胸部動態画像の解析としては、例えば、特開２０１２−１１０４５１号公報に記載の換気解析や血流解析等を挙げることができる。
【００８９】
このように、撮影制御処理Ｂにおいては、得られる画像の動き量が最適になるまで照射する放射線照射量等の撮影条件を試行錯誤的に調整しながら撮影条件を最適化する必要がないため、被写体の動き量に適した撮影条件を、少ない追加被ばく量で最適化することができ、被検者の被ばく量を抑えることができる。さらに、被写体の体厚に対して、透過力と画像コントラストのバランスが最適となる放射線照射条件を自動的に設定し、動態撮影を行うことが可能となる。
【００９０】
＜第２の実施形態の変形例＞
第２の実施形態においては、各半価層（又は実効エネルギー）の値に対して、透過力と画像コントラストのバランスが最適となる管電圧と付加フィルターの組み合わせが１対１で対応付けされた同一線質放射線照射条件リストが記憶されていることとしたが、各半価層（又は実効エネルギー）の値に対して、透過力と画像コントラストのバランスが適した管電圧と付加フィルターの組み合わせが１対多の関係で複数（少なくとも２以上）対応付けされていてもよい。
【００９１】
ここで、上述のように、図３のステップＳ３１において、管電圧が高く付加フィルターの放射線減衰量が小さいほど（減衰量が小さい材質もしくは厚みが小さいほど）、線質違い画素値調整係数δは大きくなり、線量倍数Ｍは小さくなる。すなわち、管電圧が高く付加フィルターの放射線減衰量が小さいほど（減衰量が小さい材質もしくは厚みが小さいほど）、設定される放射線照射条件の１フレームあたりのmAs値は小さくなり、管球寿命を重視した放射線照射条件となる。また、管電圧が低く付加フィルターの放射線減衰量が大きいほど（減衰量が大きい材質もしくは厚みが大きいほど）、線質違い画素値調整係数δは小さくなり、線量倍数Ｍは大きくなる。すなわち、管電圧が低く付加フィルターの放射線減衰量が大きいほど（減衰量が大きい材質もしくは厚みが大きいほど）、設定される放射線照射条件のmAs値は大きくなり、パルス放射線安定出力を重視した放射線照射条件となる（パルス放射線の場合、ある程度mAs値が大きい方が、より矩形波に近いパルスの放射線が出力されるとともに放射線の出力が安定する）。
【００９２】
そこで、制御部２１は、図３に示す撮影制御処理Ｂにおいて、所定のタイミングでユーザーに操作部２３を介して管球寿命重視か、放射線安定出力重視かを選択させ、図３のステップＳ２９において管電圧と付加フィルターの組み合わせを決定する際に、同一線質放射線照射条件リストの複数の候補の中から、ユーザーが選択した特性をもつ管電圧と付加フィルターの組み合わせを取得することとしてもよい。
このようにすれば、撮影用コンソール２は、被検者Ｈの被ばく量は同一で、管球寿命を重視し、撮影装置１のメンテナンスのコストを抑えることを優先した放射線照射条件か、放射線安定出力を重視し高画質を優先した放射線照射条件のいずれかをユーザーの好みに応じて撮影装置１に設定し、当該放射線照射条件で撮影を行うことが可能となる。
【００９３】
以上、本発明の実施形態について説明したが、上記実施形態における記述内容は、本発明の好適な一例であり、これに限定されるものではない。
【００９４】
例えば、上記実施形態では、胸部の動態画像の撮影時における撮影条件を決定する場合を例にとり説明したが、胸部の動態画像に限らず、例えば、他の部位、例えば、手指の関節等の動きを示す動態画像の撮影時に本発明を適用してもよい。
【００９５】
また、上記実施形態においては、本発明の撮影制御装置が撮影用コンソール２に備えられた場合を例にとり説明したが、撮影用コンソール２とは別体の単体の装置としてもよいし、放射線照射制御装置１２に備えられる構成としてもよい。
また、第２の実施形態において、撮影用コンソール２が備えた体厚情報取得手段が、放射線を照射せず、超音波センサー等を用いて被写体の体厚を検出し、体厚情報を取得する場合は、低放射線量撮影時の放射線照射条件（管電圧と付加フィルターの組み合わせ）を、取得した体厚情報に対応付けされた半価層（又は実効エネルギー）にもとづいて決定し、撮影することとしてもよい。これにより、低放射線量撮影時においても、被写体の体厚に対して、透過力と画像コントラストのバランスが最適となる放射線照射条件を自動的に設定するため、低放射線量撮影時における被検者の被ばく量を低減することができる。
また、被写体を透過して放射線検出部１３に入射する放射線の線質は、放射線源１１から照射され、被写体を透過する前の放射線の線質とは異なるため、放射線検出部１３の画素値とノイズとの対応関係である撮影装置ノイズ特性は、被写体を透過する前後の放射線で異なる。そこで、撮影装置ノイズ特性においては、各管電圧と付加フィルターの組み合わせにおける撮影装置ノイズ特性に対し、ノイズレベル、読出ブロックサイズ、フレームレート、検出器温度の他に、体厚情報、撮影部位も入力パラメーターとして持たせ、その体厚相当の被写体を透過する前後の放射線の線質の関係性も予め記憶させておき、その体厚相当の被写体を透過した後の放射線の線質に対する画素値を出力パラメーターとした対応関係（関係式、対応テーブル）として記憶させておくことがより好ましい。所定体厚相当の被写体を透過する前後における放射線の線質の関係は、体厚の異なる被写体を模擬したファントム等を各線質で撮影した実験により得られたものであり、例えば工場出荷時等に、記憶部２２に予め記憶させたものである。これにより、所望のノイズレベルとなる画素値をより精度よく求めることができ、撮影条件をより精度よく最適化することが可能となる。  
【００９６】
また、例えば、上記の説明では、本発明に係るプログラムのコンピューター読み取り可能な媒体としてハードディスクや半導体の不揮発性メモリー等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００９７】
その他、放射線撮影システムを構成する各装置の細部構成及び細部動作に関しても、本発明の趣旨を逸脱することのない範囲で適宜変更可能である。
【符号の説明】
【００９８】
１００  放射線撮影システム
１  撮影装置
１１  放射線源
１２  放射線照射制御装置
１３  放射線検出部
１４  読取制御装置
２  撮影用コンソール
２１  制御部
２２  記憶部
２３  操作部
２４  表示部
２５  通信部
２６  バス
２７  サイクル検出部
３  診断用コンソール
３１  制御部
３２  記憶部
３３  操作部
３４  表示部
３５  通信部
３６  バス
【図１】
2020054550.tif 000003
【図２】
2020054550.tif 000004
【図３】
2020054550.tif 000005